(57)【要約】【課題】脱穀装置から穀粒タンクに送られてくる穀粒の量を、簡単かつ正確に、連続検出する。【解決手段】コンバインは、脱穀装置から穀粒タンクに穀粒を搬送する穀粒搬送機構と、穀粒搬送機構の終端領域に設けられ、穀粒放出口を設けた放出ケース及び前記放出ケース内に回転可能に配置された放出回転体を有する穀粒放出装置と、放出回転体による穀粒放出直前の穀粒による押圧力を受ける押圧作用部と、押圧作用部に作用する押圧力を検出する荷重検出器と、荷重検出器の検出信号から穀粒搬送量を評価する収量評価部とが備えている。【選択図】図７
2018038272.tif 000002
【特許請求の範囲】
【請求項１】
脱穀装置と、
前記脱穀装置による脱穀後の穀粒を貯留する穀粒タンクと、
前記脱穀装置から前記穀粒タンクに穀粒を搬送する穀粒搬送機構と、
前記穀粒搬送機構の終端領域に設けられ、穀粒放出口を設けた放出ケース及び前記放出ケース内に回転可能に配置された放出回転体を有する穀粒放出装置と、
前記放出回転体による穀粒放出直前の穀粒による押圧力を受ける押圧作用部と、
前記押圧作用部に作用する前記押圧力を検出する荷重検出器と、
前記荷重検出器の検出信号から穀粒搬送量を評価する収量評価部と、
が備えられたコンバイン。
【請求項２】
前記押圧作用部として、前記放出ケースにおける、穀粒搬送方向で前記穀粒放出口の直前の位置に、板状部材が取り付けられており、
前記放出回転体と前記押圧作用部との間を通過する穀粒による前記押圧力が前記押圧作用部に作用する請求項１に記載のコンバイン。
【請求項３】
前記板状部材が前記放出回転体の回転方向に沿って延びる感圧板として形成され、前記荷重検出器が前記感圧板に設けられたロードセルである請求項２に記載のコンバイン。
【請求項４】
前記放出ケースは、前記放出回転体の回転軸心を中心とする円筒部分を有し、かつ前記回転軸心に沿って延びている筒状体であり、
前記筒状体の内周面の一部に穀粒放出口が設けられ、
前記内周面における、前記放出回転体の回転方向で前記穀粒放出口の手前に位置する周面部分に、前記押圧作用部が設けられている請求項１から３のいずれか一項に記載のコンバイン。
【請求項５】
前記収量評価部は、前記放出回転体の回転周期における前記検出信号に基づいて前記回転周期あたりの前記穀粒搬送量を評価する請求項１から４のいずれか一項に記載のコンバイン。
【請求項６】
前記収量評価部は、前記回転周期毎に得られる検出信号の最大値を、単位走行距離を走行する時間において積算することで、前記単位走行距離における前記穀粒搬送量を評価する請求項５に記載のコンバイン。
【請求項７】
前記放出回転体が回転軸と当該回転軸に設けられた羽根板からなる回転羽根であり、前記回転羽根は回転方向に穀粒を押し出す穀粒押し出し面を有する請求項１から６のいずれか一項に記載のコンバイン。
【請求項８】
前記回転羽根の回転角を検出する回転角センサが備えられ、
前記回転角センサは前記回転羽根の周方向特定点を検出するセンサであり、
前記収量評価部は、前記周方向特定点から前記放出回転体の回転周期を算定し、かつ前記放出回転体の回転周期における検出信号の最大値発生領域を前記収量評価部による評価領域とする請求項７に記載のコンバイン。
【発明の詳細な説明】
【技術分野】
【０００１】
本発明は、走行しながら刈り取った穀稈を脱穀処理することで得られた穀粒の量を評価するコンバインに関する。
【背景技術】
【０００２】
特許文献１によるコンバインでは、スクリューコンベアで穀粒タンクの上方に搬送されてきた穀粒が投入口から自然落下する下方に穀粒センサが配置されており、この穀粒センサからの信号に基づいて穀粒量が連続的に検出される。穀粒センサの構造は開示されていないが、特許文献１の図１からは、自然落下する穀粒との衝突によって信号を生成するセンサであることが読み取れる。このように、自然落下する穀粒を検出対象とする場合、搬送される穀粒量が変動すると、自然落下軌跡の周辺領域の穀粒密度は変動しても、自然落下軌跡の中心領域の穀粒密度はあまり変化しない可能性がる。このため、穀粒の搬送量の測定が不正確となる。また、走行中のコンバインには揺れが生じるので、自然落下する穀粒の流れにも揺れが生じる。このことも正確な測定を困難にする。
【０００３】
特許文献２によるコンバインでは、脱穀装置からスクリューコンベアで送られてきた穀粒を穀粒放出口から放出する回転羽根板が設けられており、穀粒タンクの内部には、回転羽根板によって放出された穀粒との衝撃を歪みゲージで検出するセンサが設けられている。この歪みゲージから電圧に基づいて穀粒量が制御部によって算出される。この構成でも、回転羽根板によって放出される穀粒の流れによる衝撃量と穀粒量との関係が揺らぎがちであり、穀粒の搬送状態の正確な測定は困難となる。
【先行技術文献】
【特許文献】
【０００４】
【特許文献１】特開２０００−３５４４１６号公報
【特許文献２】特開２０１５−２０４８０６号公報
【発明の概要】
【発明が解決しようとする課題】
【０００５】
上記実情に鑑み、脱穀装置から穀粒タンクに送られてくる穀粒の量を、簡単かつ正確に、連続検出する技術が要望されている。
【課題を解決するための手段】
【０００６】
本発明によるコンバインは、脱穀装置と、前記脱穀装置による脱穀後の穀粒を貯留する穀粒タンクと、前記脱穀装置から前記穀粒タンクに穀粒を搬送する穀粒搬送機構と、前記穀粒搬送機構の終端領域に設けられ、穀粒放出口を設けた放出ケース及び前記放出ケース内に回転可能に配置された放出回転体を有する穀粒放出装置と、前記放出回転体による穀粒放出直前の穀粒による押圧力を受ける押圧作用部と、前記押圧作用部に作用する前記押圧力を検出する荷重検出器と、前記荷重検出器の検出信号から穀粒搬送量を評価する収量評価部とを備えている。
【０００７】
この構成によれば、穀粒搬送機構によって脱穀装置から穀粒タンクに送られてくる穀粒は、放出回転体の回転運動により穀粒放出口から穀粒タンク内に放出される。放出回転体の回転運動により穀粒放出口に移動させられる際、穀粒は放出回転体に押し付けられる。この放出回転体によって穀粒に及ぼされる押圧力（以下、押圧と略称する）は穀粒の量が増加すると大きくなり、穀粒の量が減少すると小さくなる。したがって、押圧作用部にかかる荷重を荷重検出器により検出すると、その検出信号から、脱穀装置から穀粒タンクへの穀粒搬送量を評価することができる。この穀粒搬送量の評価量には、単位時間当たりの穀粒量（収量）を示すデータや穀粒収量の継時的な増減変化を示すデータなどが含まれる。
【０００８】
放出回転体による穀粒の放出時に穀粒が受ける押圧は、穀粒を介して放出ケースに伝わる。このことから、放出ケースにかかる荷重を検出することで、良好に穀粒搬送量を評価することができる。したがって、本発明の好適な実施形態の１つでは、前記押圧作用部として、前記放出ケースにおける、穀粒搬送方向で前記穀粒放出口の直前の位置に、板状部材が取り付けられている。前記放出回転体と前記押圧作用部との間を通過する穀粒による前記押圧力が前記押圧作用部に作用する。
【０００９】
板状部材にかかる荷重を、簡単な構成でかつ確実に検出するためには、その荷重によって弾性変形する感圧板と、その感圧板の歪みを検出するロードセルとの組み合わせが適している。その際、板状部材を感圧板として用いることで、荷重検出構造が簡単となる。したがって、本発明の好適な実施形態の１つでは、前記板状部材が前記放出回転体の回転方向に沿って延びる感圧板として形成され、前記荷重検出器が前記感圧板に取り付けられたロードセルである。
【００１０】
本発明の好適な実施形態の１つでは、前記放出ケースは、前記放出回転体の回転軸心を中心とする円筒部分を有し、かつ前記回転軸心に沿って延びている筒状体であり、前記筒状体の内周面の一部に穀粒放出口が設けられ、前記内周面における、前記放出回転体の回転方向で前記穀粒放出口の手前に位置する周面部分に、前記押圧作用部が設けられている。放出回転体が穀粒を介して放出ケースに及ぼす押圧の変動は、穀粒放出口の手前付近で顕著となる。このため、穀粒放出口の手前付近に押圧作用部を配置することは、高い検出精度を得るために有利である。
【００１１】
押圧作用部に生じる押圧の変動は、放出回転体の回転に依存する。つまり、放出回転体の回転角に応じて、検出荷重が変動する。したがって、この放出回転体の回転周期を考慮して検出信号を処理し、穀粒搬送量を評価することが測定工学的に好ましい。したがって、本発明の好適な実施形態の１つでは、前記収量評価部は、前記放出回転体の回転周期における前記検出信号に基づいて前記回転周期あたりの前記穀粒搬送量を評価する。
【００１２】
検出信号が周期性を持つので、穀粒搬送量の評価は、所定周期における検出信号の最大値に基づくことが好適である。この検出信号の周期性は、放出回転体の回転周期に対応している。このことから、本発明の好適な実施形態の１つでは、前記収量評価部は、前記回転周期毎に得られる検出信号の最大値を、単位走行距離を走行する時間において積算することで、前記単位走行距離における前記穀粒搬送量を評価する。
【００１３】
放出回転体の簡単で好適な構造として、前記放出回転体が回転軸と当該回転軸に設けられた羽根板からなる回転羽根とし、前記回転羽根は回転方向に穀粒を押し出す穀粒押し出し面を有するようにすることが、提案される。その場合、周期的に変動する荷重を好適に検出して、評価するために、本発明の好適な実施形態として、前記回転羽根の回転角を検出する回転角センサが備えられ、前記回転角センサは前記回転羽根の周方向特定点を検出するセンサであり、前記収量評価部は、前記周方向特定点から前記放出回転体の回転周期を算定し、かつ前記放出回転体の回転周期における検出信号の最大値発生領域を前記収量評価部による評価領域とすることが提案される。
【図面の簡単な説明】
【００１４】
【図１】コンバインの右側面図である。
【図２】コンバインの平面図である。
【図３】穀粒搬送機構と穀粒タンクとを示すコンバイン背面視説明図である。
【図４】穀粒搬送機構と穀粒タンクとを示すコンバイン左側面視説明図である。
【図５】穀粒放出装置の縦断面図である。
【図６】穀粒放出装置の斜視図である。
【図７】穀粒放出時における荷重検出器４１からの検出信号の継時的な挙動を説明する説明図である。
【図８】制御ユニットの機能を示す機能ブロック図である。
【図９】穀粒放出装置の別実施形態を示す分解斜視図である。
【図１０】穀粒放出装置の別実施形態を示す平面図である。
【発明を実施するための形態】
【００１５】
図面を用いて、本発明によるコンバインの具体的な実施形態の１つを説明する。
図１は、コンバインの一例である普通型コンバインの側面図であり、図２は平面図である。このコンバインは、溝形材や角パイプ材などの複数の鋼材を連結した機体フレーム１０を備えている。機体フレーム１０の下部には左右一対のクローラ式の走行装置１１を装備している。機体フレーム１０における右半部の前側には、エンジン１５が搭載され、その上部にキャビン構成の運転部１３が形成されている。
【００１６】
運転部１３には、操縦レバー１８やモニタ１９などが配置されている。機体フレーム１０の前部には、刈取部１２が昇降自在に装備されており、機体フレーム１０の後部には、刈取部１２から供給された刈取穀稈を全稈投入して脱穀する脱穀装置１４と、脱穀装置１４から穀粒搬送機構１６によって供給される穀粒を貯留する穀粒タンク２と、穀粒タンク２に貯留された穀粒を外部へ排出するアンローダ１７とが装備されている。
【００１７】
刈取部１２は、機体横向きの第一横軸芯Ｘ１周りに上下昇降可能に構成されており、旋回時などの非収穫作業時には刈取部１２は上昇状態となり、収穫作業時には圃場面に近接した下降状態となる。刈取部１２によって刈られた刈取穀稈を脱穀装置１４の前端部へ搬送される。
【００１８】
脱穀装置１４は、刈取部１２から搬送された刈取穀稈を、回転駆動される扱胴１４ａによって脱穀処理するように構成されている。穀粒タンク２は、機体フレーム１０上の右後部に配置されており、脱穀装置１４の右横隣側で、運転部１３の後方側に位置している。脱穀装置１４から穀粒タンク２に穀粒を搬送する穀粒搬送機構１６が脱穀装置１４と穀粒タンク２との間に配置されている。
【００１９】
図３と図４とに示されているように、穀粒搬送機構１６は、脱穀装置１４の底部に設けられた一番物回収スクリュー１４Ａと揚送コンベヤ１６Ａと横送りコンベヤ１６Ｂとを含む。揚送コンベヤ１６Ａは、脱穀装置１４から排出された穀粒を上方に送るために、ほぼ垂直に立設されている。揚送コンベヤ１６Ａは、駆動スプロケット１６１と従動スプロケット１６２とにわたって巻き掛けられた無端回動チェーン１６３の外周側に複数のバケット１６４が一定間隔で取り付けられているバケットコンベヤである。
【００２０】
揚送コンベヤ１６Ａは、脱穀装置１４から排出された穀粒を上方に送るバケットコンベヤである。横送りコンベヤ１６Ｂは、揚送コンベヤ１６Ａの搬送終端部と接続されており、揚送コンベヤ１６Ａから移送された穀粒を穀粒タンク２の内部に送り込むスクリューコンベヤである。横送りコンベヤ１６Ｂは、揚送コンベヤ１６Ａの上端部から横向きに延びて穀粒タンク２の左側壁２ｂにおける前側の上部に差し込まれており、外周部は、断面形状円形（八角形やその他の多角形でもよい）のケーシング１６５で包囲されている。横送りコンベヤ１６Ｂは、スクリュー軸１６６と、このスクリュー軸１６６に固定されたスクリュー体１６７とを備えている。
【００２１】
横送りコンベヤ１６Ｂの終端領域に、穀粒を穀粒タンク２の内部に拡散放出する穀粒放出装置３が設けられている。穀粒放出装置３は、放出回転体３２と放出回転体３２の周囲を覆う放出ケース３１とを備えている。放出回転体３２は、スクリュー軸１６６から延長された回転軸３２１と、回転軸３２１に設けられた羽根板３２２からなる回転羽根である。羽根板３２２は、回転軸３２１から径外方向に突出するように回転軸３２１に固定されている。羽根板３２２は、その回転方向に穀粒を押し出していく実質的に平坦な押し出し面を有している。放出ケース３１は、羽根板３２２の回転軌跡より少し大きな内径を有する円筒形である。放出ケース３１の周面の一部が切り欠かれている。この切り欠きによって、羽根板３２２の回転によって穀粒を穀粒タンク２の内部における後方側へ放出する穀粒放出口３０（図５参照）が形成されている。
【００２２】
スクリュー軸１６６と回転軸３２１とは、横軸芯Ｘ２周りに一体回転する。その回転方向は、この実施形態においては、横軸芯Ｘ２に沿ってスクリュー軸１６６の基端側から先端側を向く視線を基準にした左回転に設定されている。つまり、羽根板３２２は、図５において反時計回りに回転する。
【００２３】
この実施形態では、羽根板３２２の回転軌跡径とスクリュー体１６７の回転軌跡径がほぼ同じなので、放出ケース３１は、円筒状の筒体であり、横送りコンベヤ１６Ｂのケーシング１６５の延長部として形成されている。なお、羽根板３２２の回転軌跡径が、スクリュー体１６７の回転軌跡径より大きい場合は、放出ケース３１は、横送りコンベヤ１６Ｂのケーシング１６５より大径に形成され、逆の場合は、放出ケース３１は、横送りコンベヤ１６Ｂのケーシング１６５より小径に形成される
【００２４】
穀粒放出口３０は、図５と図６に示すように、放出ケース３１の軸方向において、ほぼ羽根板３２２の幅で、放出ケース３１の周方向において下端から回転方向でほぼ四分の一円周の長さにわたる切り欠き開口である。羽根板３２２で押し送りされてきた穀粒はこの穀粒放出口３０を通じて、放出ケース３１から穀粒タンク２の内部に放出される。放出ケース３１から放出される穀粒の放出方向を規定するノズルを作り出すため、穀粒放出口３０の周方向で両側の縁部に、放出ケース３１から羽根板３２２の回転軌跡の接線方向に延びる放出案内片３１１が形成されている。
【００２５】
図６に示すように、羽根板３２２の回転方向で穀粒放出口３０の手前に位置する放出ケース３１の周壁部分に、羽根板３２２の軸方向の幅内で、羽根板３２２の回転方向に沿って延びた開口が設けられ、この開口に板状部材で形成された押圧作用部４０が取り付けられている。その際、放出ケース３１の周壁の内面と押圧作用部４０の内面とに段差を形成しないために、開口に押圧作用部４０を嵌め込むような構造を採用してもよい。さらに、押圧作用部４０にかかる荷重を検出する荷重検出器４１として、押圧作用部４０の外面にロードセルが設けられている。羽根板３２２による穀粒の放出時に、羽根板３２２の回転力による穀粒への押圧が穀粒を介して押圧作用部４０に伝達される。この押圧による圧力が押圧作用部４０にひずみを生じさせる。羽根板３２２による穀粒への押圧は、穀粒搬送機構１６によって搬送されてくる穀粒の量が多くなるほど、大きくなる。したがって、押圧作用部４０のひずみによりロードセルに生じる電気信号は、搬送されてくる穀粒の量（収穫された穀粒の量：収量）に依存する強さを有することになるので、搬送されてくる穀粒の変動や量を評価するための検出信号として取り扱うことができる。
【００２６】
この実施形態では、押圧作用部４０を構成する板状部材は放出ケース３１の周壁の一部として機能するとともに、穀粒の増減による圧力変動を検出する感圧板として機能している。このことから、押圧作用部４０にかかる荷重を検出する荷重検出器４１としては、ロードセル以外に、その他の感圧センサを用いることも可能である。
【００２７】
さらに、図６に示されているように、回転軸３２１の周辺に、羽根板３２２の回転周期、つまり回転軸３２１の周期を検出する回転角センサ９１が配置されている。回転角センサ９１は、回転軸３２１の周方向の特定位置に設けられた突起などの被検出体を光学的または磁気的に検出するセンサであり、この検出信号に基づいて、回転軸３２１の周方向特定点の通過時点、結果的には羽根板３２２の通過時点を示すパルス信号が生成される。
【００２８】
図７に、穀粒放出時における荷重検出器４１からの検出信号の継時的な挙動が示されている。図７の上のグラフは、羽根板３２２が一回転する間（一周期）に荷重検出器４１により出力される検出信号（ロードセルからの電圧）を模式的に示している。羽根板３２２が押圧作用部４０を通り過ぎた直後は、押圧作用部４０に大きな押圧（荷重）が掛からないので、検出信号は低いレベルを示している。横送りコンベヤ１６Ｂから穀粒放出装置３に連続的に送り込まれてくる穀粒は、回転する羽根板３２２によって穀粒放出口３０の方に押し込まれていく。羽根板３２２が押圧作用部４０を通過する際に、羽根板３２２による押し込みによる力が押圧作用部４０において最も強くなるので、その時に荷重検出器４１の検出信号が一周期における最大値（ｍａｘ）を示す。
【００２９】
図７では、回転角センサ９１の検出信号に基づくパルス信号が発生してから次のパルス信号が発生するまでの期間（以下、パルス区間とも呼称する）に、羽根板３２２が押圧作用部４０を１度だけ通過しており、最大値（ｍａｘ）として検出されるべきであるピーク（穀粒放出直前のピーク）が各パルス区間に１度ずつ生じている。ここで、羽根板３２２が一回転する間において、最大値（ｍａｘ）として検出されるべきであるピークの生じるタイミング（以下、ピークタイミングとも呼称する）は、多少前後にずれることがある。そのため、仮に、パルス信号が発生するタイミングと荷重検出器４１の検出信号が最大値（ｍａｘ）となるタイミングとが近接するように構成されている場合、ピークタイミングのずれによって、最大値（ｍａｘ）として検出されるべきであるピークが１つのパルス区間に１つも含まれない、あるいは、１つのパルス区間に２つ以上含まれてしまう、といった事象が起こり得る。そこで、この実施形態においては、図７に示すように、パルス区間のうち、中央付近の時点で、羽根板３２２が押圧作用部４０を通過し、ピークタイミングとなるように構成されている。この構成によれば、ピークタイミングが多少前後にずれても、最大値（ｍａｘ）として検出されるべきであるピークが１つのパルス区間に１つも含まれない、あるいは、１つのパルス区間に２つ以上含まれてしまう、といった事象が起こりにくい。
【００３０】
図７の下のグラフは、羽根板３２２が複数回転する間（複数周期）に荷重検出器４１により出力される検出信号（ロードセルからの電圧）を模式的に示している。各周期における最大値（ｍａｘ）の変動は、横送りコンベヤ１６Ｂで送られてくる穀粒量の変動、つまり圃場の微小区画単位の収穫量(収量)の変動を表す。
【００３１】
したがって、荷重検出器４１からの検出信号に対してフィルタ処理を含む信号処理を施し、羽根板３２２の一回転（一周期）毎に算定される最大値（ｍａｘ）から、予め設定されている収量導出マップ６３を用いて単位走行距離当たりの収量を導出することができる。収量導出マップ６３の内容は、コンバインの走行速度、羽根板３２２の回転速度、穀粒の種別等によって変更される。最も簡単な収量導出マップ６３は、最大値（ｍａｘ）と単位時間（羽根板３２２の一回転）当たりの収量とを線形で関係付けたものである。これを用いて導出された単位時間当たりの収量とコンバインの走行速度とから単位走行距離当たりの収量、つまり圃場の単位距離当たりの収量が得られる。さらに、単位距離当たりの収量とコンバインの刈幅とから圃場の単位面積（微小区画）当たりの収量が得られる。
【００３２】
刈取り走行中のコンバインの圃場における穀稈の刈取り位置（収穫位置）は、ＧＰＳなどを用いて取得できる。刈り取られた穀稈から脱穀処理で取り出された穀粒が、穀粒放出口３０から放出されるまでの遅れ時間を予め求めておき、この遅れの間のコンバインの走行軌跡を辿ることで、上述した単位面積（微小区画）当たりの収量を割り当てるべき圃場の微小区画を決定することができる。これにより、最終的に圃場の穀粒収量分布の生成が可能となる。
【００３３】
なお、収量を割り当てるべき圃場の微小区画（単位走行距離）において、羽根板３２２が複数回回転する場合には、各回転（各周期）毎に得られる最大値（ｍａｘ）は積算される。
【００３４】
図８には、コンバインの制御ユニット５の機能ブロックの一部が示されている。制御ユニット５には、コンバインの各機器の動作を制御するモジュールとして、走行に関する機器を制御する走行制御部５１と作業装置に関する機器を制御する作業制御部５２と、入力信号処理部５３が備えられている。さらに、制御ユニット５には、収量計測に関する機能モジュールとして収量評価部６が構築されている。走行制御部５１及び作業制御部５２で生成された制御信号は機器制御部５４を介して各種機器に送られる。入力信号処理部５３には、人為操作デバイスからの信号、コンバインを構成する機器の状態を検出するセンサやスイッチなど作業状態検出センサ群９からの信号、ロードセルである荷重検出器４１の検出信号が入力される。そして、入力信号処理部５３は、これらの入力を要求されるデータフォーマットに変換したのち、制御ユニット５の各機能部に転送する。このコンバインには、自車位置を検出するためにＧＰＳユニット９０が備えられている。ＧＰＳユニット９０で取得される方位情報も、制御ユニット５に入力される。
【００３５】
この実施形態では、収量評価部６は、最大値算定部６１、収量演算部６２、収量導出マップ６３、収量分布算定部６４を備えている。最大値算定部６１には、入力信号処理部５３で増幅処理やフィルタ処理を受けた、ロードセルである荷重検出器４１の検出信号が入力される。最大値算定部６１は、さらに、穀粒放出装置３の羽根板３２２の回転周期を検出する回転角センサ９１からの信号を、入力信号処理部５３を介して受け取り、一周期毎の最大値（ｍａｘ）を算定する。
【００３６】
この実施形態では、１つの羽根板３２２が回転軸３２１に設けられており、回転角センサ９１からの検出信号に基づいて、回転軸３２１が１回転する毎に１つのパルスが生成される。つまり、３６０度の回転周期毎に１つの最大値（ｍａｘ）が算定される。このパルスの発生する時点と、最大値（ｍａｘ）が発生する時点との関係は予め算定できる。したがって、所定の時間幅をもった最大値発生領域をゲートとして設定し、この最大値発生領域を、最大値（ｍａｘ）を算定するための評価領域とすることが可能である。
【００３７】
収量導出マップ６３は、羽根板３２２の一周期における最大値（ｍａｘ）を入力として、横送りコンベヤ１６Ｂで送られてくる単位時間当たりの穀粒量を導出するルックアップテーブルである。羽根板３２２の回転速度が選択可能な場合、各回転速度別にルックアップテーブルが用意されるか、あるいは回転速度に応じて設定される補正係数で出力値が補正される。収量演算部６２は、最大値算定部６１で算定された最大値（ｍａｘ）から収量導出マップ６３を用いて、単位時間当たりの穀粒量（収量）を求める。さらに、コンバインの車速や刈取り幅を取得して、単位走行距離当たりや単位面積当たりの穀粒量（収量）を求めることも可能である。
【００３８】
収量演算部６２は、その収量演算の対象となった穀粒に対応する穀稈が刈り取られた圃場位置をＧＰＳユニット９０からの位置情報に基づいて算定し、当該位置情報と求めた穀粒量（収量）とを関係づけて、穀粒収量状態情報として記録する。収量分布算定部６４は、穀粒収量状態情報に基づいて、圃場の微小区画毎に収量を割り当て、穀粒収量分布を生成する。
【００３９】
〔別実施の形態〕
（１）上述した実施形態では、穀粒収量状態情報として収量が取り扱われたが、これに代えて、単に収量の変動、つまり最大値（ｍａｘ）の変動データを穀粒収量状態情報としてもよい。この場合、穀粒収量分布は、微小区画単位での収量の多少を示す相対データとなる。圃場における収量の絶対的な値は、穀粒タンク２から穀粒を搬出する際に行われる穀粒量の計測結果によって、得ることが可能である。
【００４０】
（２）上述した実施形態では、押圧作用部４０と荷重検出器４１とは、横送りコンベヤ１６Ｂの延長上に設けられた穀粒放出装置３の放出ケース３１の一部分に設けられている。穀粒放出装置３の形態は、コンバインの種類によって異なるので、本発明では、穀粒放出装置３の形態、押圧作用部４０と荷重検出器４１との形状及び配置は、上述した実施形態に限定されない。例えば、図９と図１０では、脱穀装置１４の底部から穀粒を穀粒タンク２の上方に搬送するスクリューコンベア式の揚送コンベヤ１６Ａの上端に穀粒放出装置３が設けられている。穀粒放出装置３は、揚送コンベヤ１６Ａを構成するスクリューコンベア１９０の軸体１９１の上端に、軸方向に沿って設けられた羽根板１９２と、この羽根板１９２を覆う羽根カバー１９３とを備えている。羽根カバー１９３は、羽根板１９２の回転軌跡の穀粒タンク２の内部を向いている部分に対向する領域を開口しており、この開口が穀粒の穀粒放出口３０となる。スクリューコンベア１９０で搬送されてきた穀粒は、羽根板１９２が穀粒放出口３０から穀粒を穀粒タンク２内に向けて跳ね飛ばす。羽根カバー１９３は、跳ね飛ばされた穀粒が穀粒タンク２内に極力均一な水平分布状態で貯留されるような形状を有する。羽根カバー１９３の側壁で、穀粒放出時に羽根板１９２との間に穀粒を挟み込む箇所に、板状の押圧作用部４０と、ロードセルによる荷重検出器４１とが取り付けられている。揚送コンベヤ１６Ａで搬送されてきた穀粒は、羽根板１９２によって羽根カバー１９３の側壁に押し付けられるので、穀粒の量に対応する荷重が押圧作用部４０に掛かる。荷重検出器４１（ロードセル）は、この側壁に掛かる荷重を検出する。
【００４１】
（３）上述した実施形態では、回転軸３２１に１つの羽根板３２２が設けられていたが、回転軸３２１に複数の羽根板３２２が設けられてもよい。その際、羽根板３２２は周方向で等間隔に配置されることが好ましい。この場合、最大値（ｍａｘ）として検出されるべきであるピーク（穀粒放出直前のピーク）が発生する回転位相の間隔は、３６０度ではなく、３６０度を羽根板３２２の数で割った値となる。各ピークをそれぞれ最大値（ｍａｘ）として検出するためには、回転軸３２１の回転周期を、回転軸３２１の回転方向における羽根板３２２の割り付けピッチと対応する比率で、羽根板３２２の数と同数の区間（以下、分割区間と呼称する）に分割すればよい。その場合、各分割区間における中央付近の時点で、羽根板３２２が押圧作用部４０を通過し、ピークタイミングとなるように構成すれば、ピークタイミングが多少前後にずれても、最大値（ｍａｘ）として検出されるべきであるピークが１つの分割区間に１つも含まれない、あるいは、１つの分割区間に２つ以上含まれてしまう、といった事象が起こりにくい。なお、回転軸３２１の回転周期を分割するためには、各羽根板３２２に対応するように複数の特定点を設定すればよい。その場合、回転角センサ９１は、回転軸３２１の１回転毎に、羽根板３２２の数の分だけのパルスを発生させる。これにより、回転軸３２１の回転周期が、羽根板３２２の数と同数のパルス区間に分割されることとなる。
【００４２】
（４）上述した実施形態では、羽根板３２２の形状は平板であったが、湾曲体など、種々の形状を採用することができる。
【産業上の利用可能性】
【００４３】
本発明は、脱穀処理後の穀粒が穀粒搬送機構によって穀粒タンクに貯留されるコンバインに適用可能である。
【符号の説明】
【００４４】
２      ：穀粒タンク
１０    ：機体フレーム
１２    ：刈取部
１４    ：脱穀装置
１６    ：穀粒搬送機構
１６Ａ  ：揚送コンベヤ
１６Ｂ  ：横送りコンベヤ
１６１  ：駆動スプロケット
１６２  ：従動スプロケット
１６６  ：スクリュー軸
１６７  ：スクリュー体
１９０  ：スクリューコンベア
１９１  ：軸体
１９２  ：羽根板
１９３  ：羽根カバー
３      ：穀粒放出装置
３０    ：穀粒放出口
３１    ：放出ケース
３１１  ：放出案内片
３２    ：放出回転体
３２１  ：回転軸
３２２  ：羽根板
４０    ：押圧作用部
４１    ：荷重検出器
５      ：制御ユニット
５１    ：走行制御部
６      ：収量評価部
６１    ：最大値算定部
６２    ：収量演算部
６３    ：収量導出マップ
６４    ：収量分布算定部
９      ：作業状態検出センサ群
９０    ：ＧＰＳユニット
９１    ：回転角センサ
【図１】
2018038272.tif 000003
【図２】
2018038272.tif 000004
【図３】
2018038272.tif 000005
【図４】
2018038272.tif 000006
【図５】
2018038272.tif 000007
【図６】
2018038272.tif 000008
【図７】
2018038272.tif 000009
【図８】
2018038272.tif 000010
【図９】
2018038272.tif 000011
【図１０】
2018038272.tif 000012